(57)【要約】【課題】  音声の電気信号を増幅してスピーカから音声で出力し、そのスピーカ音声をマイクロホンが拾って音響特性を調節する際に、マイクロホンが拾う音声が真に音響特性の調節対象のスピーカ音声であることを確実にさせ、正しい音響特性の調節を可能にする。【解決手段】  スピーカ３４〜３９への接続部１６〜２１にそれぞれ、スピーカのケーブルが接続される際の押圧力によつて接続を確認する接続確認部２２〜２７を隣接して備え、その接続確認部２２〜２７の接続報知内容をＣＰＵ２９が受けて、その判断結果にづいてＤＳＰ４が音響特性の調整を行う構成にした。【選択図】  図１
2008109583.tif 000002
【特許請求の範囲】
【請求項１】
音声に係る電気信号を所望によって増幅して出力する増幅手段と、
その増幅手段から出力する電気信号の音響特性を調節する調節手段と、
前記増幅手段からの電気信号を装置本体と別体スピーカに接続するための接続部と、
その接続部の近傍に設けられ、その接続部に、前記増幅手段からの電気信号を前記スピーカに出力するためのケーブルが接続されていることを検知して報知する接続報知手段とが備えられ、
更に、その接続報知手段からの信号に基づき、前記接続部にスピーカへのケーブルが接続されていると判断された際には、そのスピーカからの音声をマイクロホンがピックアップし、そのマイクロホンがピックアップした音声に係る電気信号に基づいてスピーカからの現行出力音声の音響特性を検出し、その検出結果に基づいて所望の音響特性を得るように制御を行い、且つ、前記接続部にスピーカへのケーブルが接続されていないと判断された際には、その旨を報知するように機能する制御手段が具備されてなる音響増幅装置。
【請求項２】
接続報知手段は、接続部にスピーカへのケーブルが嵌合して接続された際に、その嵌合によって生じる押圧力に基づいて導通状態の信号を出力する構成の請求項１に記載の音響増幅装置。
【発明の詳細な説明】
【技術分野】
【０００１】
この発明は、音声に係る電気信号の出力レベルを所望の値に増幅して装置本体と別体のスピーカに出力し、且つ、音声に係る電気信号の音響特性を所望により加工して調節し得る調節手段が備えられてなる音響増幅装置に関する。
特に、増幅後の音声に係る電気信号を装置本体と別体のスピーカに出力し、そのスピーカが前記電気信号を音声に変換して出力し、その出力された音声をマイクロホンが集音して電気信号に変換し、ここで得られるマイクロホンからの電気信号に基づいて、出力する音声に係る電気信号が所望の音響特性を持つようにその電気信号を加工して調節する調節手段が備えてなる音響増幅装置に関する。
【背景技術】
【０００２】
音響増幅装置によって増幅されて得られた音声に係る電気信号をスピーカに送り、そのスピーカが前記電気信号を変換して音声を出力させた際、ここで出力された音声はユーザーが所望している音響特性を有しているとは限らない。
特に、複数のスピーカを使用する場合では、各スピーカの出力と配設の位置によって構成される音場が大きく異なって来るため、その都度、増幅して出力する電気信号に所望の音場が得られるように音響特性に調節を行うことが必要になる。
【０００３】
増幅して出力する音声に係る電気信号に調節を行うことによって、結果的に、ユーザーがスピーカから所望する内容の音響特性を有する音声出力を得るようにした技術として、以下の公報が知られている。
【０００４】
【特許文献１】特開２０００−３５４３００号公報
【発明の開示】
【発明が解決しようとする課題】
【０００５】
上述した音響増幅装置では、出力した電気信号がスピーカから音声に変換されて出力され、そのスピーカからの音声がマイクロホンで拾われて、そのマイクロホンで拾われて得られる電気信号は前記スピーカからの音声に係る音響特性を調節する元になる構成である、つまり、ループを構成してフィードバックが可能な構成としている。
しかし、斯かる構成の発明では、スピーカからの音声が音響増幅装置からの電気信号に基づいている場合であれば効果は認められるが、マイクロホンが他の音声を誤って拾っている場合には、結果的に正しく音響特性を調節できないことになる。
【０００６】
つまり、音響増幅装置からスピーカに電気信号を送るためのケーブルの接続が外れていて、且つ、マイクロホンが他の音声を拾った場合には、当該他の音声が恰も対象とするスピーカからの音声であると受け取られ、当該音響増幅装置は誤った入力音声に対して音響特性の調節を行い、結果的に、本来求める音場をいつまでも得られることができないということになる。
殊に、特開２０００−３５４３００号公報に開示されている発明では、複数のスピーカからの音声出力によって特定の音場が構成されている。
【０００７】
斯かる場合において、前記複数のスピーカのうち、音響特性の調節を行うべきスピーカへのケーブルの接続が外れている場合には、マイクロホンは、装置本体に接続されていて電気信号入力のある残りのスピーカからの音声のみを拾うので、恰も測定対象のスピーカからの音声をも含めた音響特性の検出が行われているととユーザーは勘違いをし、本来の全てのスピーカが接続された状態に係る真の検出が得られていないことに極めて気付き難く、結果的に、全てのスピーカに対する各スピーカの正しい音響特性の調節を行うことができず、問題はより深刻になる。
この発明は、上記の事情に鑑みて為されたものであり、音声に係る電気信号を増幅してスピーカに出力し、スピーカがその電気信号を音声に変換して出力し、マイクロホンがその音声を拾い、そのマイクロホンからの電気信号に基づいて出力させている電気信号に係る音響特性を調節する音響増幅装置であって、マイクロホンが拾う音声が間違いなく音響特性の調節を行う対象の音声であることを確実にさせ、結果的に、正しい音響特性の調節が可能な音響増幅装置を提供するものである。
【課題を解決するための手段】
【０００８】
この発明は、検出対象のスピーカへのケーブルが真に接続されているか否かを報知する手段を備えて構成した音響増幅装置である。
【０００９】
その詳細な構成は、音声に係る電気信号を所望によって増幅して出力する増幅手段と、
その増幅手段から出力する電気信号の音響特性を調節する調節手段と、
前記増幅手段からの電気信号を装置本体と別体スピーカに接続するための接続部と、
その接続部の近傍に設けられ、その接続部に、前記増幅手段からの電気信号を前記スピーカに出力するためのケーブルが接続されていることを検知して報知する接続報知手段とが備えられ、
更に、その接続報知手段からの信号に基づき、前記接続部にスピーカへのケーブルが接続されていると判断された際には、そのスピーカからの音声をマイクロホンがピックアップし、そのマイクロホンがピックアップした音声に係る電気信号に基づいてスピーカからの現行出力音声の音響特性を検出し、その検出結果に基づいて所望の音響特性を得るように制御を行い、且つ、前記接続部にスピーカへのケーブルが接続されていないと判断された際には、その旨を報知するように機能する制御手段が具備されてなる音響増幅装置である。
【００１０】
ここで、音響特性とは、具体的に、低温の量感の増減、出力音のシャープさの増減のトーンコントロールと呼ばれているものが挙げられ、周波数毎のゲインを調整することで係る種類の音響特性をコントロールすることが可能である。
又、接続報知手段は、具体的に、接続部にスピーカへのケーブルの接続プラグが嵌合して接続された際に、その嵌合によって生じる押圧力に基づいて導通状態の信号を出力し、この信号の出力で前記接続部と前記ケーブルの接続を検知する構成が挙げられる。
【発明の効果】
【００１１】
この発明は、装置本体とスピーカに音声に係る電気信号を伝送するケーブルの接続が解除されている場合では、その旨が制御系及び報知手段に反映されるように構成したことにより、音声に係る電気信号を増幅してスピーカに出力し、スピーカがその電気信号を音声に変換して出力し、マイクロホンがその音声を拾い、そのマイクロホンからの電気信号に基づいて出力させている電気信号に係る音響特性の調節を行う際に、音響特性の調整を行うべき対象の音声を真に特定でき、結果的に、正しい音響特性の調節を行う得る音響増幅装置である。
【発明を実施するための最良の形態】
【００１２】
この発明を、以下において図面と共に最良の実施の形態に基づき説明する。しかし、これによって、この発明が限定されるものではない。
音響増幅装置１は、チューナ２と、セレクタ３と、デジタル信号プロセッサ４（以下、「ＤＳＰ４」と称する）と、Ｄ／Ａ変換器５，６，７，８，９，１０と、増幅手段１１，１２，１３，１４，１５と、接続部１６，１７，１８，１９，２０，２１と、接続確認部２２，２３，２４，２５，２６，２７と、操作部２８と、制御手段であるＣＰＵ２９及びメモリ３０と、表示部３１と、マイクロホン用アンプ３２と、Ａ／Ｄ変換器３３が、備えられている。
【００１３】
チューナ２は、受信する電波の中から所望する放送局の電波を選局し、デジタルの電気信号でセレクタ３に送るものである。つまり、音響増幅装置１はチューナ機能を備えて構成されており、所謂レシーバアンプである。
セレクタ３は、ＣＰＵ２９からの制御信号に基づき、Ａ／Ｄ変換器３３、チューナ２、ＤＡＴ再生手段４２及びプレーヤ４３からの電気信号を唯一つ選択して、ＤＳＰ４に送るものである。尚、ＤＡＴ再生手段４２及びプレーヤ４３は、再生装置として一体化されている。
【００１４】
ＤＳＰ４は、ＣＰＵ２９からの制御信号に基づいて、セレクタ３からの信号をユーザーの所望する出力となるための処理を行うものである。
そして、その信号処理の中には、音響特性、具体的には、低温の量感の増減、出力音のシャープさの増減のトーンコントロールと呼ばれているものが含まれている。
【００１５】
Ｄ／Ａ変換器５，６，７，８，９，１０は、ＤＳＰ４からの音声に係るデジタルの電気信号をアナログに変換するものである。
増幅手段１１，１２，１３，１４，１５はそれぞれＤ／Ａ変換器５，６，７，８，９の後段に接続され、音声に係るアナログ信号を増幅して接続部１６，１７，１８，１９，２０に送るものである。
【００１６】
接続部１６，１７，１８，１９，２０，２１はそれぞれ、フロント右スピーカ３４、フロント左スピーカ３５，センタースピーカ３６、リア右スピーカ３７、リア左スピーカ３８、サブウーハスピーカ３９に電気信号を送るケーブルと接続するものである。
接続部１６，１７，１８，１９，２０，２１は、具体的にジャックである。尚、前記ケーブルの接続端は接続プラグである。
【００１７】
音響増幅装置１は、上述したように音響特性を調節可能な構成である。音響特性の調節は、フロント右スピーカ３４、フロント左スピーカ３５，センタースピーカ３６、リア右スピーカ３７、リア左スピーカ３８、サブウーハスピーカ３９から音声が出力され、その出力の音声をリスニングポジション４０に配設されたマイクロホン４１がピックアップすることで初めて可能になる。
従って、フロント右スピーカ３４、フロント左スピーカ３５，センタースピーカ３６、リア右スピーカ３７、リア左スピーカ３８、サブウーハスピーカ３９の中で、音声の出力しないスピーカが一つでもあれば、リスニングポジション４０における音声の適切なピックアップ・サンプリングが得られないことになる。
【００１８】
このことに対して、音響増幅装置１は、ユーザーが各スピーカに電気信号を送るためのケーブルが間違いなく真に接続されていて結果的に各スピーカから音声が出力されていることを確認するための接続報知手段が備えられている。
この接続報知手段は、接続確認部２２，２３，２４，２５，２６，２７と、ＣＰＵ２９と、表示部３１等から構成されている。
【００１９】
つまり、各接続部１６，１７，１８，１９，２０，２１にはそれぞれ、一体的に接続確認部２２，２３，２４，２５，２６，２７が付設されている。
各接続確認部２２，２３，２４，２５，２６，２７はそれぞれ、押圧力でＯＮ／ＯＦＦに切り替わるスイッチ（図示省略）が備えられており、各接続部１６，１７，１８，１９，２０，２１に前記ケーブルの接続プラグが嵌合されると、その嵌合による押圧力によって前記各スイッチがＯＮからＯＦＦに切り替わる構成になっている。
【００２０】
このスイッチのＯＮからＯＦＦに切り替りがケーブル（図示省略）を介してＣＰＵ２９に送られると、ＣＰＵ２９は接続確認部２２，２３，２４，２５，２６，２７がそれぞれ隣接して対応する接続部１６，１７，１８，１９，２０，２１に接続プラグが嵌合されたと判断、つまり、接続部１６，１７，１８，１９，２０，２１にそれぞれ対応するフロント右スピーカ３４、フロント左スピーカ３５，センタースピーカ３６、リア右スピーカ３７、リア左スピーカ３８、サブウーハスピーカ３９に電気信号を送るケーブルが接続されたと判断する構成になっている。
加えて、ＣＰＵ２９は、斯かる各スピーカとの接続の判断に基づいて、マイクロホン４１がピックアップした音声に係る電気信号に基づき各スピーカからの現行出力音声の音響特性を検出し、その検出結果に基づき所望の音響特性を得るように制御を行う構成になっている。
【００２１】
他方、ＣＰＵ２９が、接続確認部２２，２３，２４，２５，２６，２７からの信号によって接続部１６，１７，１８，１９，２０，２１にそれぞれ対応するフロント右スピーカ３４、フロント左スピーカ３５，センタースピーカ３６、リア右スピーカ３７、リア左スピーカ３８、サブウーハスピーカ３９に電気信号を送るケーブルの少なくとも一つが接続されていないと判断すると、表示部３１に現行出力音声の音響特性の調節が不可能である旨を警告表示する構成になっている。
尚、各スピーカから出力させる音響特性を調べるためのテスト信号は、ＤＳＰ４から出力される構成になっている。
【００２２】
操作部２８は、ユーザーが装置を操作するためのものであり、ＣＰＵ２９に制御信号を送ることによって、メイン電源のＯＮ／ＯＦＦ、セレクタ３の選択、音響特性の制御、アンプ１１，１２，１３，１４，１５及びサブウーハスピーカ３９の出力の制御、表示部３１の表示内容の切り替え等を行うものである。
ＣＰＵ２９は、場合によってメモリ３０とデータをアクセスしながら、操作部２８からの操作信号つまり制御命令に基づき、判断、演算、記憶、出力命令等を行うものである。
【００２３】
メモリ３０は、ＣＰＵ２９の機能に必要なデータを必要な時にアクセスし、且つ、今後必要となる新たなデータ等を記憶するものである。
表示部３１は、装置の現在の機能状態の表示、マニュアルの表示、接続確認部２２，２３，２４，２５，２６，２７に基づき接続部１６，１７，１８，１９，２０，２１におけるケーブルとの非接続状態の警告表示等を行うものである。
【００２４】
マイクロホン用アンプ３２は、マイクロホン４１に後段に接続され、マイクロホン４１が音響特性の検査用音声をピックアップして変換して出力の電気信号を増幅してＡ／Ｄ変換器３２に送るものである。
Ａ／Ｄ変換器３２は、マイクロホン用アンプ３２からの増幅されたアナログの電気信号をデジタルに変換してセレクタ３に送るものである。
【００２５】
フロント右スピーカ３４、フロント左スピーカ３５，センタースピーカ３６、リア右スピーカ３７、リア左スピーカ３８は、名称の示す通りに、リスニングルームの対応する一に配設されるものである。サブウーハスピーカ３９は、増幅機能が備えられている。
マイクロホン４１は、リスニングポジション４０に配設されて、フロント右スピーカ３４、フロント左スピーカ３５，センタースピーカ３６、リア右スピーカ３７、リア左スピーカ３８及びサブウーハスピーカ３９からの出力音声によって得られる音場、音響特性等を測定するために前記出力音声をピックアップするものである。
尚、マイクロホン４１は、斯かる測定が終了するとリスニングポジション４０から除去される。
【００２６】
ＤＡＴ再生手段４２は、デジタル録音されたテープを再生して音声に係る電気信号を出力するものである。プレーヤ４３は、コンパクトディスク、所謂ＣＤを再生して音声に係る電気信号を出力するものである。
マイクロホン４１からの電気信号、チューナ２からの受信信号、ＤＡＴ再生手段４２からの電気信号及びプレーヤ４３からの電気信号はセレクタ３に送られ、唯一つ選択されて、ＤＳＰ４に送られる。
【００２７】
音響増幅装置１は。上述したように構成されている。以下において、音響特性の検出測定時における音響増幅装置１と各スピーカとの接続の確認について説明する。
ユーザーは、フロント右スピーカ３４、フロント左スピーカ３５，センタースピーカ３６、リア右スピーカ３７、リア左スピーカ３８及びサブウーハスピーカ３９のケーブルの接続プラグをそれぞれ接続部１６，１７，１８，１９，２０，２１に嵌合し、音響増幅装置１とフロント右スピーカ３４、フロント左スピーカ３５，センタースピーカ３６、リア右スピーカ３７、リア左スピーカ３８及びサブウーハスピーカ３９をケーブルを介して接続する。
【００２８】
ユーザーは、この状態で操作部２８を操作して、メイン電源をＯＮにして音響特性の測定をスタートさせる。
続いて、ユーザーは、フロント右スピーカ３４、フロント左スピーカ３５，センタースピーカ３６、リア右スピーカ３７、リア左スピーカ３８及びサブウーハスピーカ３９の配設した位置が初めての位置であることから、測定について初期状態の設定つまり初期化を行う。
【００２９】
ここで、ユーザーは、音響増幅装置１の上述接続報知手段を機能させる。
つまり、音響増幅装置１は音響測定に対してスタンバイの状態になっていることから、フロント右スピーカ３４、フロント左スピーカ３５，センタースピーカ３６、リア右スピーカ３７、リア左スピーカ３８及びサブウーハスピーカ３９への各ケーブルの接続プラグはそれぞれ接続部１６，１７，１８，１９，２０，２１に嵌合されている筈である。
そして、フロント右スピーカ３４、フロント左スピーカ３５，センタースピーカ３６、リア右スピーカ３７、リア左スピーカ３８及びサブウーハスピーカ３９への各ケーブルの接続プラグがそれぞれ接続部１６，１７，１８，１９，２０，２１に嵌合されていれば、その嵌合によって生じる押圧力によって、それぞれ隣接して対応する接続確認部２２，２３，２４，２５，２６，２７から嵌合状態か否かを示す信号がＣＰＵ３１に送られることになる。
【００３０】
ここで、ＣＰＵ２９は、接続確認部２２からの上記信号に基づいて、接続部１６がフロント右スピーカ３４へのケーブルと接続状態にあると検出すると、ＤＳＰ４から音響特性を測定するための電気信号を出力させる。
続いて、ＤＳＰ４からの測定用の電気信号はＤ／Ａ変換器５に送られてアナログの電気信号に変換されて後段に送られる。Ｄ／Ａ変換器５からのアナログの電気信号は、増幅手段１１に送られて音響特性を測定するのに適したレベルに増幅される。
【００３１】
増幅手段１１で増幅されたアナログの電気信号は接続部１６に送られ、更に、接続部１６とケーブルを介してフロント右スピーカ３４に送られる。
ここで、フロント右スピーカ３４から音響特性の測定用の音声が出力される。
フロント右スピーカ３４から音響特性の測定用の音声が出力されると、マイクロホン４１はその音声をピックアップしてアナログの電気信号に変換してアンプ３２に送る。
【００３２】
アンプ３２は、マイクロホン４１からの電気信号を予め設定のレベルに増幅し、Ａ／Ｄ変換器３３に送る。
Ａ／Ｄ変換器３３は、アンプ３２からアナログの電気信号をデジタルのの信号に変換してセレクタ３に送る。
【００３３】
この時、音響増幅装置１が音響特性の測定を行っているので、セレクタ３はＡ／Ｄ変換器３３からのデジタルの電気信号のみ選択的に通過させて、ＤＳＰ４に送る。
ここで、ＣＰＵ２９は、フロント右スピーカ３４から発せられた音声に係る電気信号をＤＳＰ４から受け取って、予めメモリ３０に記憶された音響特性と比較し、その比較結果を表示部３１に表示する。
【００３４】
音響増幅装置１は、同様に、他のスピーカから発せられた音声に係る電気信号についても音響特性の検出を行う。
又、リスニングポジション４０における音場を求めると趣旨から、フロント右スピーカ３４、フロント左スピーカ３５，センタースピーカ３６、リア右スピーカ３７、リア左スピーカ３８及びサブウーハスピーカ３９の全ての音響特性を同時に求めるという使用も可能である。
【００３５】
音響増幅装置１は、斯かる場合においても、フロント右スピーカ３４、フロント左スピーカ３５，センタースピーカ３６、リア右スピーカ３７、リア左スピーカ３８及びサブウーハスピーカ３９への各ケーブルの接続プラグがそれぞれ接続部１６，１７，１８，１９，２０，２１に接続されていない場合には、接続が為されていないスピーカを特定して表示部３１に表示するように機能する。
ユーザーは、表示部３１に接続が為されていないスピーカが表示されると、そのスピーカに係るケーブルの接続プラグを対応する接続部に嵌合して接続するとよい。
【００３６】
音響増幅装置１は、上述したように機能するので、増幅した電気信号をスピーカから音声に変換して出力させてその音響特性を検出する際に、音響特性の検出の対象の音声を出力するスピーカが真に接続されているか否かを確認することができ、スピーカからの音声の音響特性を間違いなく検出することが可能になっている。
ユーザーは、フロント右スピーカ３４、フロント左スピーカ３５，センタースピーカ３６、リア右スピーカ３７、リア左スピーカ３８及びサブウーハスピーカ３９からの音声の音響特性を検出し、更に、必要及び所望に応じて音響特性を調節した後、チューナ２、ＤＡＴ４２及びプレーヤ４３のいずれかを機能させると前記調節通りの音響特性の音声がフロント右スピーカ３４、フロント左スピーカ３５，センタースピーカ３６、リア右スピーカ３７、リア左スピーカ３８及びサブウーハスピーカ３９から出力される。
【００３７】
他方、音響増幅装置１において、フロント右スピーカ３４、フロント左スピーカ３５，センタースピーカ３６、リア右スピーカ３７、リア左スピーカ３８及びサブウーハスピーカ３９への各ケーブルの接続プラグがそれぞれ対応する接続部１６，１７，１８，１９，２０，２１といずれかが接続されていない場合には、その旨が表示部３１に表示されるので、ユーザーは、接続されていないスピーカがどれであるかを表示部３１から読み取り、斯かる接続状態においての音響特性の調節であることを認識することが可能である。
【図面の簡単な説明】
【００３８】
【図１】この発明の実施の最良の形態にスピーカ及びマイクロホンを接続した際の構成をブロック図的に説明する構成説明図である。
【図２】図１に示す実施の最良の形態にスピーカ及びマイクロホンを接続して音響性質を検査する際の構成を説明する構成説明図である。
【符号の説明】
【００３９】
１                                  ：音響増幅装置
３                                  ：セレクタ
４                                  ：ＤＳＰ（調節手段）
５，６，７，８，９，１０            ：Ｄ／Ａ変換器
１１，１２，１３，１４，１５        ：アンプ
１６，１７，１８，１２，２０，２１  ：接続部
２２，２３，２４，２５，２６，２７  ：接続確認部（接続報知手段）
２９                                ：ＣＰＵ
３１                                ：表示部
３４，３５，３６，３７，３８，３９  ：スピーカ
４１                                ：マイクロホン
【図１】
2008109583.tif 000003
【図２】
2008109583.tif 000004